(57)【要約】      （修正有）【課題】便器本体の外表面における断熱性を高めて結露の発生を抑制することができると共に、結露水が発生した場合でも滴下を抑制することができる水洗大便器を提供する。【解決手段】ボウル部の下方に接続されて且つその内部に溜水が形成される排水トラップ管路８を備えた陶器製の便器本体と、排水トラップ管路の外表面に対して外側から覆うように取り付けられるカバー部材１０，１２と、排水トラップ管路の外表面の被取付部Ｃ，Ｄとカバー部材の内表面の取付部との間に密着して設けられた断熱材１４，１６と、排水トラップ管路の外表面の非接触部Ｅ，Ｆとカバー部材の内表面の非接触部Ｇ，Ｈとの間に形成される空気層Ａ１，Ａ２と、を有し、断熱材は、排水トラップ管路の外表面上の結露水がカバー部材の外部へ浸出することが抑制されるように、空気層の外周側で且つカバー部材の内表面の取付部の周縁部に密着して設けられている。【選択図】図５
2020133167.tif 000002
【特許請求の範囲】
【請求項１】
洗浄水源から供給される洗浄水によって洗浄されて汚物を排出する水洗大便器であって、
汚物を受けるボウル部と、このボウル部の下方に接続されて且つその内部に溜水が形成される排水トラップ管路と、を備えた陶器製の便器本体であって、上記排水トラップ管路の外表面が上記便器本体の外表面の一部となる上記便器本体と、
この便器本体における少なくとも上記排水トラップ管路の外表面に対して外側から覆うように取り付けられるカバー部材と、
上記排水トラップ管路の外表面の被取付部と上記カバー部材の内表面の取付部との間に密着して設けられた断熱材と、
上記排水トラップ管路の外表面の非接触部と上記カバー部材の内表面の非接触部との間に形成される空気層と、を有し、
上記断熱材は、上記排水トラップ管路の外表面上の結露水が上記カバー部材の外部へ浸出することが抑制されるように、上記空気層の外周側で且つ上記カバー部材の内表面の取付部の周縁部に密着して設けられていることを特徴とする水洗大便器。
【請求項２】
上記断熱材は、上記排水トラップ管路の外表面の被取付部と上記カバー部材の内表面の取付部との間隔のばらつきに対しても水密可能となるように伸縮性を備えている請求項１記載の水洗大便器。
【請求項３】
上記断熱材は、上記空気層の上方が開放されるように、上記カバー部材の上縁部以外の周縁部に設けられている請求項１又は２に記載の水洗大便器。
【請求項４】
上記カバー部材は、上記排水トラップ管路の左右両側の外表面のそれぞれに対して外側から覆うように押圧して取り付けられた第１カバー部材及び第２カバー部材をそれぞれ備えており、
上記第１カバー部材及び上記第２カバー部材は、連結部によって連結されている請求項３記載の水洗大便器。
【請求項５】
上記連結部は、上記第１カバー部材及び上記第２カバー部材のそれぞれの上方部分に設けられている請求項４記載の水洗大便器。
【請求項６】
上記カバー部材は、樹脂材料で形成されている請求項１乃至５の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１に記載されているものが知られている。
上述した従来の水洗大便器においては、陶器製の便器本体のボウル部の溜水面は、ボウル部の下部に接続される排水トラップ管路によって形成される。
しかしながら、例えば、溜水を形成する洗浄水の温度が低く、便器本体の周囲環境の温度が高い環境下では、陶器製の便器本体の排水トラップ管路を形成する外壁面において周囲の空気中の水分が冷やされ、結露が発生するという問題がある。
そこで、従来の水洗大便器においては、便器本体の基部表面に両側から防露カバーを挟み込むことにより、便器本体の排水トラップ管路の外壁面上で発生した結露水が外壁面上を伝って滴下し、床面に達することを抑制している。
【先行技術文献】
【特許文献】
【０００３】
【特許文献１】実開平５−３０２８０号公報
【発明の概要】
【発明が解決しようとする課題】
【０００４】
しかしながら、上述した従来の水洗大便器においては、結露が発生し易い便器本体の外表面の部位の全体について断熱材で覆った場合には、断熱性能を高めることができる一方、比較的大きい範囲で覆うことができる断熱材を利用しなければならないため、コストが高くなるという問題がある。
また、断熱性能を高めるには、ある程度の厚みを有する断熱材を用いる必要もあるが、便器本体が陶器製であるため、製造誤差のばらつきにより断熱材と便器本体の排水トラップ管路の外表面との間に隙間が生ずる場合がある。
そして、便器本体の外表面上の結露水がこのような隙間を伝って床面に滴下するおそれがあるという問題がある。
よって、陶器製の便器本体の外表面における結露の発生をいかに抑制して、仮に、結露が発生したとしても、このような結露水の滴下をいかに抑制するかが要請された課題となっている。
【０００５】
そこで、本発明は、上述した従来技術の問題及び要請された課題を解決するためになされたものであり、便器本体の外表面における断熱性を高めて結露の発生を抑制することができると共に、結露水が発生した場合でも滴下を抑制することができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、汚物を受けるボウル部と、このボウル部の下方に接続されて且つその内部に溜水が形成される排水トラップ管路と、を備えた陶器製の便器本体であって、上記排水トラップ管路の外表面が上記便器本体の外表面の一部となる上記便器本体と、この便器本体における少なくとも上記排水トラップ管路の外表面に対して外側から覆うように取り付けられるカバー部材と、上記排水トラップ管路の外表面の被取付部と上記カバー部材の内表面の取付部との間に密着して設けられた断熱材と、上記排水トラップ管路の外表面の非接触部と上記カバー部材の内表面の非接触部との間に形成される空気層と、を有し、上記断熱材は、上記排水トラップ管路の外表面上の結露水が上記カバー部材の外部へ浸出することが抑制されるように、上記空気層の外周側で且つ上記カバー部材の内表面の取付部の周縁部に密着して設けられていることを特徴としている。
このように構成された本発明においては、排水トラップ管路の外表面の非接触部とカバー部材の内表面の非接触部との間に空気層を形成することができると共に、この空気層の外周側で且つカバー部材の内表面の取付部の周縁部に断熱材を密着して設けることができる。
これにより、排水トラップ管路の外表面の非接触部とカバー部材の内表面の非接触部との間の空気層の中央側領域では、外気との熱伝達を抑制して結露水の発生を抑制することができる。
また、空気層の外周側でカバー部材の内表面の取付部の周縁部領域では、断熱材によって外気の混入を抑制することができるため、排水トラップ管路の外表面とカバー部材の内表面との間の空気層の対流を抑制することができ、断熱効果を高めることができる。
さらに、カバー部材で覆われている排水トラップ管路の外表面上で結露水が発生し、この外表面上を伝って滴下したとしても、断熱材で確実に留めることができる。
したがって、断熱材をカバー部材の内表面に設ける領域について、空気層の外周側で且つカバー部材の内表面の取付部の周縁部領域に限定した少ない範囲に留めながら、結露水がカバー部材の外部へ浸出して滴下することを効果的に抑制することができる。
これらの結果、カバー部材で覆われている排水トラップ管路の外表面における断熱性を高めることができると共に、結露水の滴下を抑制することができる。
【０００７】
本発明において、好ましくは、上記断熱材は、上記排水トラップ管路の外表面の被取付部と上記カバー部材の内表面の取付部との間隔のばらつきに対しても水密可能となるように伸縮性を備えている。
このように構成された本発明においては、例えば、陶器製の便器本体の製造誤差による排水トラップ管路の寸法や形状のばらつきや、カバー部材の製造誤差による寸法や形状のばらつきが生じることにより、排水トラップ管路の外表面の被取付部とカバー部材の内表面の取付部との間隔のばらつきが生じることがある。
これに対し、断熱材の伸縮性により、排水トラップ管路の外表面の被取付部とカバー部材の内表面の取付部との間隔のばらつきに対しても隙間が生じないように断熱材が伸縮することができるため、排水トラップ管路の外表面の被取付部とカバー部材の内表面の取付部と間を断熱材で密着性（水密性）を維持することができる。
【０００８】
本発明において、好ましくは、上記断熱材は、上記空気層の上方が開放されるように、上記カバー部材の上縁部以外の周縁部に設けられている。
このように構成された本発明においては、排水トラップ管路の外表面とカバー部材の内表面との間の空気層の上方が開放されるように、断熱材がカバー部材の上縁部以外の周縁部に設けられているため、断熱材をカバー部材の内表面に設ける領域について、カバー部材の上縁部以外の周縁部に限定した少ない範囲に留めることができる。
これにより、例えば、陶器製の便器本体の製造誤差による排水トラップ管路の寸法や形状のばらつきや、カバー部材の製造誤差による寸法や形状のばらつきが生じたとしても、断熱材がカバー部材の上縁部以外の周縁部よりも大きい領域に設けられた場合に比べて、断熱材が吸収する誤差範囲を小さくすることができる。
したがって、特に、結露水の滴下が生じやすいカバー部材の下方の周縁部について、断熱材の伸縮性により、排水トラップ管路の外表面の被取付部の製造誤差に対して積極的に追従させて誤差を吸収することができるため、密着性（水密性）を高めることができる。
また、このような排水トラップ管路の外表面の被取付部とカバー部材の内表面の取付部との密着性を高めることにより、排水トラップ管路の外表面の非接触部とカバー部材の内表面の非接触部との間の空気層の内圧についても高めることができる。
よって、外気が上方から空気層に混入することを抑制し、空気層の対流を抑制することができるため、断熱性を高めて結露水の発生を抑制することができる。
【０００９】
本発明において、好ましくは、上記カバー部材は、上記排水トラップ管路の左右両側の外表面のそれぞれに対して外側から覆うように押圧して取り付けられた第１カバー部材及び第２カバー部材をそれぞれ備えており、上記第１カバー部材及び上記第２カバー部材は、連結部によって連結されている。
このように構成された本発明においては、第１カバー部材及び第２カバー部材のそれぞれについて、排水トラップ管路の左右両側の外表面のそれぞれに対して左右両側から覆うように押圧して取り付けることができる。
したがって、排水トラップ管路の外表面の左右両側の被取付部と第１カバー部材及び第２カバー部材の各取付部との密着性（水密性）を高めることができる。
【００１０】
本発明において、好ましくは、上記連結部は、上記第１カバー部材及び上記第２カバー部材のそれぞれの上方部分に設けられている。
このように構成された本発明においては、特に、結露水の滴下が生じやすい第１カバー部材及び第２カバー部材のそれぞれの下方の周縁部（取付部）については、断熱材で密着性が高められている。
一方、第１カバー部材及び第２カバー部材のそれぞれの上方部分においては、連結部で互いに連結されることにより、第１カバー部材及び第２カバー部材のそれぞれの内表面を陶器製の便器本体の排水トラップ管路の外表面の左右両側に密着させる方向の押圧力を高めることができる。
したがって、排水トラップ管路の外表面とカバー部材の内表面との全体の密着性を高めることができるため、断熱効果を向上させることができると共に、結露水の滴下を抑制することができる。
【００１１】
本発明において、好ましくは、上記カバー部材は、樹脂材料で形成されている。
このように構成された本発明においては、カバー部材が樹脂材料で形成されていることにより、カバー部材自体がある程度の変形を可能にする柔軟性や可撓性を有することができる。
したがって、カバー部材の取付部を陶器製の便器本体の排水トラップ管路の外表面の被取付部に取り付ける際には、この被取付部の寸法や形状に応じて、カバー部材の取付部が追従性良く変形することができる。
よって、陶器製の便器本体の排水トラップ管路の外表面の被取付部にカバー部材の取付部を取り付ける際の施工性や組立性を向上させることができる。
【発明の効果】
【００１２】
本発明の水洗大便器によれば、便器本体の外表面における断熱性を高めて結露の発生を抑制することができると共に、結露水が発生した場合でも滴下を抑制することができる。
【図面の簡単な説明】
【００１３】
【図１】本発明の一実施形態による水洗大便器の概略分解斜視図である。
【図２】本発明の一実施形態による水洗大便器の左側面図である。
【図３】図２のＩＩＩ−ＩＩＩ線に沿った断面図である。
【図４】図２に示す本発明の一実施形態による水洗大便器における便器本体の排水トラップ管路の外表面及びカバー部材の部分を拡大した部分拡大図である。
【図５】図３に示す本発明の一実施形態による水洗大便器における便器本体の排水トラップ管路の外表面及びカバー部材の部分を拡大した部分拡大図である。
【図６】本発明の一実施形態による水洗大便器の左側カバー部材及び右側カバー部材のそれぞれの連結部の部分を拡大した部分拡大図である。
【発明を実施するための形態】
【００１４】
つぎに、図１〜図６を参照して、本発明の一実施形態による水洗大便器について説明する。
まず、図１は、本発明の一実施形態による水洗大便器の概略分解斜視図である。また、図２は、本発明の一実施形態による水洗大便器の左側面図である。さらに、図３は、図２のＩＩＩ−ＩＩＩ線に沿った断面図である。
図１〜図３に示すように、本発明の一実施形態による水洗大便器１は、陶器製の便器本体２を備えている。この便器本体２は、上流側から下流側に向かって、導水路４と、ボウル形状のボウル６と、排水トラップ管路８とを備えている。
また、本実施形態の水洗大便器１は、便器本体２のボウル６内の水の落差による流水作用で汚物を排水トラップ管路８へ押し流す、いわゆる、「洗い落し式の水洗大便器」について説明するが、このような水洗大便器に限定されず、サイホン作用を利用してボウル内の汚物を吸い込んで排水トラップ管路から一気に外部に排出する、いわゆる、「サイホン式の水洗大便器」等に対しても適用可能である。
【００１５】
なお、図１〜図３に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）、便器本体２への給水機能に関与する給水系機能部等の機能部（図示せず）、及び、便器洗浄用の洗浄水の水源（洗浄水源）である洗浄水タンク装置（図示せず）等が設けられているが、これらについても、従来の水洗大便器の構造と同様であるため、具体的な説明については省略する。
【００１６】
つぎに、図１〜図３に示すように、本実施形態の水洗大便器１は、さらに、便器本体２を前方から見て左右両側に設けられたカバー部材（左側カバー部材１０、右側カバー部材１２）をそれぞれ備えている。これらのカバー部材１０，１２は、樹脂材料で形成されている。
また、各カバー部材１０，１２の取付部は、便器本体２のボウル６の外表面上の一部、すなわち、ボウル６の後方側且つ下方側の側壁面６ａ上に設けられた被取付部に取り付けられている。
さらに、各カバー部材１０，１２の取付部は、便器本体２の排水トラップ管路８の外表面上の一部、すなわち、排水トラップ管路８の左側外壁面８ａ及び右側外壁面８ｂ上のそれぞれに設けられた被取付部に取り付けられている。
また、各カバー部材１０，１２の取付部は、排水トラップ管路８の上側外壁面８ｃの左右中央部から上方に延びる便器本体２の中央立壁部Ｗ１の左側壁面２ａ及び右側壁面２ｂ上のそれぞれに設けられた被取付部に取り付けられている。
【００１７】
また、図２及び図３に示すように、各カバー部材１０，１２の取付部Ａ，Ｂは、各カバー部材１０，１２の内表面における上縁以外の周縁部に沿って設けられている。
さらに、各カバー部材１０，１２の取付部Ａ，Ｂと、これらと左右方向に対向する排水トラップ管路８の各外壁面８ａ，８ｂの被取付部Ｃ，Ｄとの間には、断熱材１４，１６がそれぞれ密着して設けられている。
これらの断熱材１４，１６は、排水トラップ管路８の外表面の被取付部Ｃ，Ｄと各カバー部材１０，１２の内表面の取付部Ａ，Ｂとの間隔のばらつきに対しても水密可能となるように伸縮性を備えている。これらの断熱材１４，１６により、排水トラップ管路８の外表面上で結露水が発生してとしても、各カバー部材１０，１２の外部へ浸出することが抑制されるようになっている。
【００１８】
つぎに、図４は、図２に示す本発明の一実施形態による水洗大便器における便器本体の排水トラップ管路の外表面及びカバー部材の部分を拡大した部分拡大図である。また、図５は、図３に示す本発明の一実施形態による水洗大便器における便器本体の排水トラップ管路の外表面及びカバー部材の部分を拡大した部分拡大図である。
図４及び図５に示すように、各カバー部材１０，１２は、その上方部分において、詳細は後述する連結部（雄側連結部１８、雌側連結部２０）をそれぞれ備えている。
また、図５示すように、これらの連結部１８，２０を互いに連結させることにより、各カバー部材１０，１２が、排水トラップ管路８の上側外壁面８ｃの左右中央部から上方に延びる便器本体２の中央立壁部Ｗ１（側壁面２ａ，２ｂ）を介して互いが連結されるようになっている。
さらに、各連結部１８，２０が互いに連結された状態では、各カバー部材１０，１２の内表面が、排水トラップ管路８の外表面（左側外壁面８ａ、右側外壁面８ｂ、上側外壁面８ｃ）及び便器本体２の中央立壁部Ｗ１の各側壁面２ａ，２ｂを外側から覆った状態となっており、各取付部Ａ，Ｂが各断熱材１４，１６を介して各被取付部Ｃ，Ｄに対して押圧して取り付けられた状態となっている。
【００１９】
つぎに、図５に示すように、各カバー部材１０，１２の取付部Ａ，Ｂが各断熱材１４，１６を介して排水トラップ管路８の外表面の被取付部Ｃ，Ｄに取り付けられた状態では、排水トラップ管路８の外表面の非接触部Ｅ，Ｆとこれと対向する各カバー部材１０，１２の内表面の非接触部Ｇ，Ｈとの間に空気層Ａ１，Ａ２がそれぞれ形成されている。
また、図４及び図５に示すように、各断熱材１４，１６は、各空気層Ａ１，Ａ２の外周側で且つ各カバー部材１０，１２の内表面の上縁以外の周縁部に設けられている。
したがって、各空気層Ａ１，Ａ２は、その上方空間が各断熱材１４，１６により閉鎖されることなく、開放された状態となっている。
ちなみに、図４及び図５に示すように、各カバー部材１０，１２の取付部Ａ，Ｂが排水トラップ管路８の外表面の被取付部Ｃ，Ｄに取り付けられた状態では、各カバー部材１０，１２の上縁部１０ａ，１２ａの高さ位置は、便器本体２のボウル６及び排水トラップ管路８内に形成される溜水面Ｌ１の高さ位置とほぼ同一の高さ位置となっている。
また、図４及び図５に示すように、各カバー部材１０，１２及び各断熱材１４，１６の最下端位置Ｐ１，Ｐ３は、排水トラップ管路８の最下端位置Ｐ３よりも上方に位置している。
【００２０】
つぎに、図６は、本発明の一実施形態による水洗大便器の左側カバー部材及び右側カバー部材のそれぞれの連結部の部分を拡大した部分拡大図である。
図６に示すように、左側カバー部材１０の雄側連結部１８は、左側カバー部材１０の内表面の基端から便器本体２の中央立壁部Ｗ１の左側壁面２ａに向かって内側に延びた後に上方に屈曲するベース部１８ａと、このベース部１８ａの上方に屈曲する部分から水平左右方向に延びる支持部１８ｂと、この支持部１８ｂの上端及び下端のそれぞれにおいて部分的に形成された歯溝部１８ｃと、をそれぞれ備えている。
一方、図６に示すように、右側カバー部材１２の雌側連結部２０は、右側カバー部材１２の内表面から便器本体２の中央立壁部Ｗ１の右側壁面２ｂに向かって内側に延びた後に上方に屈曲するベース部２０ａと、このベース部２０ａの上方に屈曲する部分に設けられた挟持部２０ｂと、を備えている。
これらにより、左側カバー部材１０の雄側連結部１８の支持部１８ｂは、便器本体２の中央立壁部Ｗ１を左側壁面２ａから右側壁面２ｂまで貫く取付穴２ｃに挿入された後、右側カバー部材１２の雌側連結部２０の取付穴２０ｃに挿入されるようになっている。
そして、右側カバー部材１２の雌側連結部２０の挟持部２０ｂの歯溝が左側カバー部材１０の雄側連結部１８の支持部１８ｂの歯溝部１８ｃに対して上下方向から噛み合うことにより、左側カバー部材１０及び右側カバー部材１２が、互いに連結された状態で便器本体２の中央立壁部Ｗ１の各側壁面２ａ，２ｂのそれぞれに対して固定されるようになっている。
なお、図６に示すように、各連結部１８，２０の全体の前後方向の幅は、各カバー部材１０，１２の上縁部１０ａ，１２ａの前後方向の幅よりも小さいため、各連結部１８，２０は、各空気層Ａ１，Ａ２の上方空間を閉塞するものではない。
また、各連結部１８，２０のベース部１８ａ，２０ａの上縁部１８ｄ，２０ｄと各カバー部材１０，１２の上縁部１０ａ，１２ａの内端１０ｂ，１２ｂとの間には、隙間Ｓ１，Ｓ２がそれぞれ形成されているため、大気開放がなされている。
【００２１】
つぎに、図１〜図６を参照して、本発明の一実施形態による水洗大便器１の作用について説明する。
まず、本発明の一実施形態による水洗大便器１によれば、排水トラップ管路８の外表面の非接触部Ｅ，Ｆと各カバー部材１０，１２の内表面の非接触部Ｇ，Ｈとの間に各空気層Ａ１，Ａ２をそれぞれ形成することができると共に、各空気層Ａ１，Ａ２の外周側で且つ各カバー部材１０，１２の内表面の取付部Ａ，Ｂの周縁部に各断熱材１４，１６を密着して設けることができる。
これにより、排水トラップ管路８の外表面の非接触部Ｅ，Ｆと各カバー部材１０，１２の内表面の非接触部Ｇ，Ｈとの間の各空気層Ａ１，Ａ２の中央側領域では、外気との熱伝達を抑制して結露水の発生を抑制することができる。
また、各空気層Ａ１，Ａ２の外周側で各カバー部材１０，１２の内表面の取付部Ａ，Ｂの周縁部領域では、各断熱材１４，１６によって外気の混入を抑制することができる。
これにより、排水トラップ管路８の外表面と各カバー部材１０，１２の内表面との間の各空気層Ａ１，Ａ２の対流を抑制することができ、断熱効果を高めることができる。
さらに、各カバー部材１０，１２で覆われている排水トラップ管路８の外表面上で結露水が発生し、この外表面上を伝って滴下したとしても、各断熱材１４，１６で確実に留めることができる。
したがって、各断熱材１４，１６を各カバー部材１０，１２の内表面に設ける領域について、各カバー部材１０，１２で覆われている各空気層Ａ１，Ａ２の外周側で且つ各カバー部材１０，１２の内表面の取付部Ａ，Ｂの周縁部領域に限定した少ない範囲に留めながら、結露水が各カバー部材１０，１２の外部へ浸出して滴下することを効果的に抑制することができる。
これらの結果、各カバー部材１０，１２で覆われている排水トラップ管路８の外表面における断熱性を高めることができると共に、結露水の滴下を抑制することができる。
【００２２】
つぎに、本実施形態による水洗大便器１によれば、例えば、陶器製の便器本体２の製造誤差による排水トラップ管路８の寸法や形状のばらつきや、各カバー部材１０，１２の製造誤差による寸法や形状のばらつきが生じることにより、排水トラップ管路８の外表面の被取付部Ｃ，Ｄと各カバー部材１０，１２の内表面の取付部Ａ，Ｂとの間隔のばらつきが生じることがある。
これに対し、各断熱材１４，１６の伸縮性により、排水トラップ管路８の外表面の被取付部Ｃ，Ｄと各カバー部材１０，１２の内表面の取付部Ａ，Ｂとの間隔のばらつきに対しても隙間が生じないように各断熱材１４，１６が伸縮することができるため、排水トラップ管路８の外表面の被取付部Ｃ，Ｄと各カバー部材１０，１２の内表面の取付部Ａ，Ｂと間を各断熱材１４，１６で密着性（水密性）を維持することができる。
【００２３】
また、本実施形態の水洗大便器１によれば、排水トラップ管路８の外表面と各カバー部材１０，１２の内表面との間の各空気層Ａ１，Ａ２の上方が開放されるように、各断熱材１４，１６が各カバー部材１０，１２の上縁部１０ａ，１２ａ以外の周縁部に設けられている。これにより、各断熱材１４，１６を各カバー部材１０，１２の内表面に設ける領域について、各カバー部材１０，１２の上縁部１０ａ，１２ａ以外の周縁部に限定した少ない範囲に留めることができる。
よって、例えば、陶器製の便器本体２の製造誤差による排水トラップ管路８の寸法や形状のばらつきや、各カバー部材１０，１２の製造誤差による寸法や形状のばらつきが生じたとしても、各断熱材１４，１６が各カバー部材１０，１２の上縁部１０ａ，１２ａ以外の周縁部よりも大きい領域に設けられた場合に比べて、各断熱材１４，１６が吸収する誤差範囲を小さくすることができる。
したがって、特に、結露水の滴下が生じやすい各カバー部材１０，１２の下方の取付部Ａ，Ｂの周縁部について、各断熱材１４，１６の伸縮性により、排水トラップ管路８の外表面の被取付部Ｃ，Ｄの製造誤差に対して積極的に追従させて誤差を吸収することができるため、密着性（水密性）を高めることができる。
また、このような排水トラップ管路８の外表面の被取付部Ｃ，Ｄと各カバー部材１０の内表面の取付部Ａ，Ｂとの密着性を高めることにより、排水トラップ管路８の外表面の非接触部Ｅ，Ｆと各カバー部材１０，１２の内表面の非接触部Ｇ，Ｈとの間の各空気層Ａ１，Ａ２の内圧についても高めることができる。
よって、外気が上方から各空気層Ａ１，Ａ２に混入することを抑制し、各空気層Ａ１，Ａ２の対流を抑制することができるため、断熱性を高めて結露水の発生を抑制することができる。
【００２４】
さらに、本実施形態による水洗大便器１によれば、各カバー部材１０，１２について、各連結部１８，２０により互いに連結することにより、排水トラップ管路８の左右両側の外表面のそれぞれに対して左右両側から覆うように押圧して取り付けることができる。
したがって、排水トラップ管路８の外表面の左右両側の被取付部Ｃ，Ｄと各カバー部材１０，１２の各取付部Ａ，Ｂとの密着性（水密性）を高めることができる。
【００２５】
また、本実施形態による水洗大便器１によれば、特に、結露水の滴下が生じやすい各カバー部材１０，１２の下方の周縁部（取付部Ａ，Ｂ）については、断熱材で密着性が高められている。
一方、各カバー部材１０，１２の上方部分においては、各連結部１８，２０で互いに連結されることにより、各カバー部材１０，１２の内表面の取付部Ａ，Ｂを陶器製の便器本体２の排水トラップ管路８の外表面の左右両側の被取付部Ｃ，Ｄに密着させる方向の押圧力を高めることができる。
したがって、排水トラップ管路８の外表面と各カバー部材１０，１２の内表面との全体の密着性を高めることができるため、断熱効果を向上させることができると共に、結露水の滴下を抑制することができる。
なお、図示は省略するが、結露水の滴下抑制の観点からは、各カバー部材１０，１２の下方部分に連結部を配置して、断熱材の押圧力を高めることも好ましい。この場合、下方部分の断熱材の密着性を高めることができ、結露水の滴下を抑制することができる。
【００２６】
さらに、本実施形態による水洗大便器１によれば、各カバー部材１０，１２が樹脂材料で形成されていることにより、各カバー部材１０，１２自体がある程度の変形を可能にする柔軟性や可撓性を有することができる。
したがって、各カバー部材１０，１２の取付部Ａ，Ｂを陶器製の便器本体２の排水トラップ管路８の外表面の被取付部Ｃ，Ｄに取り付ける際には、この被取付部Ｃ，Ｄの寸法や形状に応じて、各カバー部材１０，１２の取付部Ａ，Ｂが追従性良く変形することができる。
よって、陶器製の便器本体２の排水トラップ管路８の外表面の被取付部Ｃ，Ｄに各カバー部材１０，１２の取付部Ａ，Ｂを取り付ける際の施工性や組立性を向上させることができる。
【符号の説明】
【００２７】
１        水洗大便器
２        便器本体
２ａ      便器本体の中央立壁部の左側壁面
２ｂ      便器本体の中央立壁部の右側壁面
２ｃ      取付穴
４        導水路
６        ボウル
６ａ      ボウル側壁面
８        排水トラップ管路
８ａ      排水トラップ管路の左側外壁面
８ｂ      排水トラップ管路の右側外壁面
８ｃ      排水トラップ管路の上側外壁面
１０        左側カバー部材（カバー部材、第１カバー部材）
１０ａ      左側カバー部材の上縁部
１０ｂ      左側カバー部材の上縁部の内端
１２        右側カバー部材（カバー部材、第２カバー部材）
１２ａ      右側カバー部材の上縁部
１２ｂ      右側カバー部材の上縁部の内端
１４        断熱材
１６        断熱材
１８        雄側連結部（連結部）
１８ａ      ベース部
１８ｂ      支持部
１８ｃ      歯溝部
１８ｄ      ベース部の上縁部
２０        雌側連結部（連結部）
２０ａ      ベース部
２０ｂ      挟持部
２０ｃ      取付穴
２０ｄ      ベース部の上縁部
Ａ        左側カバー部材の内表面の取付部
Ａ１      空気層
Ａ２      空気層
Ｂ        右側カバー部材の内表面の取付部
Ｃ        排水トラップ管路の外表面の被取付部
Ｄ        排水トラップ管路の外表面の被取付部
Ｅ        排水トラップ管路の外表面の非接触部
Ｆ        排水トラップ管路の外表面の非接触部
Ｇ        左側カバー部材の内表面の非接触部
Ｈ        右側カバー部材の内表面の非接触部
Ｌ１      溜水面
Ｐ１      左側断熱材の最下端位置
Ｐ２      右側断熱材の最下端位置
Ｐ３      排水トラップ管路の最下端位置
Ｓ１      隙間
Ｓ２      隙間
Ｗ１      便器本体の中央立壁部
【図１】
2020133167.tif 000003
【図２】
2020133167.tif 000004
【図３】
2020133167.tif 000005
【図４】
2020133167.tif 000006
【図５】
2020133167.tif 000007
【図６】
2020133167.tif 000008